(57)【要約】【課題】着用感が良好で、軟便の漏れが適切に防止することができる、低コストの吸収性物品を提供する。【解決手段】トップシート及びバックシートが液透過性であり、幅方向の一方の側端部にのみ、所定の立体ギャザーを有し、トップシートは、立体ギャザーを備えていない幅方向の側端部において、吸収体の一部及びバックシートの一部を巻き込むように、折り返された形状を有し、バックシートは、立体ギャザーを備えている幅方向の側端部であって、立体ギャザーより幅方向内側において、吸収体の一部をトップシートの衣類側の位置で巻き込むように、折り返された形状を有し、吸収体に用いる高吸収性シートは、片側表面が起毛した基体不織布と、該基体不織布の起毛した部分の繊維間に固着担持された高吸収性ポリマーと、を有する、吸収性補助パッドを提供する。【選択図】図２
2019111189.tif 000002
【特許請求の範囲】
【請求項１】
液透過性のトップシートと、液透過性のバックシートと、前記トップシート及び前記バックシートの間に配置された吸収体と、を有し、吸収性物品の端部に配置される吸収性補助パッドであって、
前記吸収性補助パッドは、前記吸収性補助パッドの幅方向の一方の側端部にのみ、撥水性又は液不透過性を有する二重のシートから構成される立体ギャザーを有し、
前記トップシートは、立体ギャザーを備えていない幅方向の側端部において、前記吸収体の一部及び前記バックシートの一部を巻き込むように、折り返された形状を有し、
前記バックシートは、前記立体ギャザーを備えている幅方向の側端部であって、前記立体ギャザーより幅方向内側において、前記吸収体の一部を前記トップシートの衣類側の位置で巻き込むように、折り返された形状を有し、
前記吸収体は、高吸収性シートと、該高吸収性シートの全体を包む親水性シートと、を有し、
前記高吸収性シートは、片側表面が起毛した基体不織布と、該基体不織布の起毛した部分の繊維間に固着担持された高吸収性ポリマーと、を有し、
前記吸収体の、ハンディ圧縮試験機ＫＥＳ−Ｇ５による、圧縮エネルギーＷＣが２．０ｇｆ・ｃｍ／ｃｍ２以上８．０ｇｆ・ｃｍ／ｃｍ２以下であり、圧縮回復性ＲＣが３５％以上６５％以下であり、
前記立体ギャザーの前記トップシートの身体側表面からの高さは、前記吸収性補助パッドの幅方向の寸法に対して、２０％以上であり、
前記バックシートの衣類側表面には、吸収性物品との固定手段が形成されている、吸収性補助パッド。
【請求項２】
長手方向及び幅方向の寸法が、５０ｍｍ以上３００ｍｍ以下である、請求項１に記載の吸収性補助パッド。
【請求項３】
前記基体不織布がエアスルー不織布であり、前記基体不織布の坪量が、２０ｇ／ｍ２以上２００ｇ／ｍ２以下であり、前記基体不織布の厚さは０．３ｍｍ以上１１．０ｍｍ以下であり、基体不織布を構成する繊維の太さが、１．６ｄｔｅｘ以上１４ｄｔｅｘ以下である、請求項１又は２に記載の吸収性補助パッド。
【請求項４】
前記高吸収性ポリマーの坪量が２００ｇ／ｍ２以上１２００ｇ／ｍ２以下である、請求項１から３のいずれかに記載の吸収性補助パッド。
【請求項５】
前記親水性シートは、坪量が７ｇ／ｍ２以上４５ｇ／ｍ２以下の親水性不織布である、請求項１から４のいずれかに記載の吸収性補助パッド。
【請求項６】
前記高吸収性ポリマーが、ホットメルト接着剤により、前記基体不織布の起毛した部分の繊維間に固着担持されており、該ホットメルト接着剤の含有量が１０ｇ／ｍ２以下である、請求項１から５のいずれかに記載の吸収性補助パッド。
【請求項７】
前記立体ギャザーの前記トップシートの身体側表面からの高さが、１５ｍｍ以上８０ｍｍ以下である、請求項１から６のいずれかに記載の吸収性補助パッド。
【請求項８】
前記立体ギャザーは、自由端側及び基端側に少なくとも一本ずつの伸縮弾性部材を有する、請求項１から７のいずれかに記載の吸収性補助パッド。
【発明の詳細な説明】
【技術分野】
【０００１】
本発明は、着用感が良好で、軟便の漏れを適切に防止することができる、低コストの吸収性補助パッドに関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、一般的に、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ等の吸収性物品は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプの紙おむつやパンツタイプの紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便と称する）に対しては、吸収性が不十分であり、軟便が尿取りパッド及び吸収性物品の外部に漏れることがあったため、軟便の漏れを防止することを目的とした尿取りパッドについても検討がなされている。
【０００５】
軟便の漏れを防止することを目的とした尿取りパッドとしては、例えば、特許文献１に、トップシート、バックシート、吸収体、立体ギャザーと、を備えたパッドタイプ使い捨ておむつにおいて、少なくとも股間部の前端よりも後側の範囲内における、立体ギャザーの突出部位より側方に延在する部分に、衣類側表面から見てカップ状に窪んだカップ部が設けられていることを特徴とするパッドタイプ使い捨ておむつが開示されている。
【先行技術文献】
【特許文献】
【０００６】
【特許文献１】特開２０１４−４５９８０号公報
【発明の概要】
【発明が解決しようとする課題】
【０００７】
しかしながら、特許文献１に記載の尿取りパッドにおいても、大量の軟便が排泄された場合には、尿取りパッドの漏れやすい箇所からテープ止めタイプの紙おむつ等の吸収性物品にまで軟便が漏れ、さらに、吸収性物品から軟便が衣服や寝具に漏れてしまう可能性があった。また、尿取りパッドは、テープ止めタイプの紙おむつ等の吸収性物品に補助的に用いられるものであるが、広範囲で軟便の漏れを防止しようとするが故に、必然的にサイズが大きくなることから、原材料コストが高くなり、使用者としては、コスト的に十分に満足できるものではなかったという問題もあった。
【０００８】
また、吸収体として、フラッフパルプと高吸収性ポリマー（Ｓｕｐｅｒ  Ａｂｓｏｒｂｅｎｔ  Ｐｏｌｙｍｅｒ、ＳＡＰとも称される）を併用した従来の一般的な吸収体を用いた場合、多量の軟便の漏れを防止するために、必然的に吸収体が厚くなりやすい傾向にあり、着用感においても十分に満足できるものではなかった。また、薄型化を目的として、基体となる不織布と高吸収性ポリマーからなる、いわゆる高吸収性シート（ＳＡＰシートとも称される）を吸収体として用いた場合にも、高吸収性ポリマーが高密度に存在することにより、肌触りが硬くなり着用感が低下するという問題があった。
【０００９】
したがって、本発明は以上の点の課題に鑑みてなされたものであり、着用感が良好で、軟便の漏れを適切に防止することができる、低コストの吸収性物品を提供することを目的とする。
【課題を解決するための手段】
【００１０】
本発明の発明者らは、上記課題に鑑み、鋭意研究を行った。その結果、幅方向の一方の側端部にのみ、所定の立体ギャザーを有し、また、トップシート及びバックシートが所定の折り返し形状を有し、さらに、吸収体が所定の高吸収性シートを有する、吸収性補助パッドによれば、上記課題を解決できることを見出し、本発明を完成するに至った。具体的には、本発明は以下のものを提供する。
【００１１】
（１）本発明の第１の態様は、液透過性のトップシートと、液透過性のバックシートと、前記トップシート及び前記バックシートの間に配置された吸収体と、を有し、吸収性物品の端部に配置される吸収性補助パッドであって、前記吸収性補助パッドは、前記吸収性補助パッドの幅方向の一方の側端部にのみ、撥水性又は液不透過性を有する二重のシートから構成される立体ギャザーを有し、前記トップシートは、立体ギャザーを備えていない幅方向の側端部において、前記吸収体の一部及び前記バックシートの一部を巻き込むように、折り返された形状を有し、前記バックシートは、前記立体ギャザーを備えている幅方向の側端部であって、前記立体ギャザーより幅方向内側において、前記吸収体の一部を前記トップシートの衣類側の位置で巻き込むように、折り返された形状を有し、前記吸収体は、高吸収性シートと、該高吸収性シートの全体を包む親水性シートと、を有し、前記高吸収性シートは、片側表面が起毛した基体不織布と、該基体不織布の起毛した部分の繊維間に固着担持された高吸収性ポリマーと、を有し、前記吸収体の、ハンディ圧縮試験機ＫＥＳ−Ｇ５による、圧縮エネルギーＷＣが２．０ｇｆ・ｃｍ／ｃｍ２以上８．０ｇｆ・ｃｍ／ｃｍ２以下であり、圧縮回復性ＲＣが３５％以上６５％以下であり、前記立体ギャザーの前記トップシートの身体側表面からの高さは、前記吸収性補助パッドの幅方向の寸法に対して、２０％以上であり、前記バックシートの衣類側表面には、吸収性物品との固定手段が形成されている、吸収性補助パッドである。
【００１２】
（２）本発明の第２の態様は、（１）に記載の吸収性補助パッドであって、長手方向及び幅方向の寸法が、５０ｍｍ以上３００ｍｍ以下であることを特徴とするものである。
【００１３】
（３）本発明の第３の態様は、（１）又は（２）に記載の吸収性補助パッドであって、前記基体不織布がエアスルー不織布であり、前記基体不織布の坪量が、２０ｇ／ｍ２以上２００ｇ／ｍ２以下であり、前記基体不織布の厚さは０．３ｍｍ以上１１．０ｍｍ以下であり、基体不織布を構成する繊維の太さが、１．６ｄｔｅｘ以上１４ｄｔｅｘ以下であることを特徴とするものである。
【００１４】
（４）本発明の第４の態様は、（１）から（３）のいずれかに記載の吸収性補助パッドであって、前記高吸収性ポリマーの坪量が２００ｇ／ｍ２以上１２００ｇ／ｍ２以下であることを特徴とするものである。
【００１５】
（５）本発明の第５の態様は、（１）から（４）のいずれかに記載の吸収性補助パッドであって、前記親水性シートは、坪量が７ｇ／ｍ２以上４５ｇ／ｍ２以下の親水性不織布であることを特徴とするものである。
【００１６】
（６）本発明の第６の態様は、（１）から（５）のいずれかに記載の吸収性補助パッドであって、前記高吸収性ポリマーが、ホットメルト接着剤により、前記基体不織布の起毛した部分の繊維間に固着担持されており、該ホットメルト接着剤の含有量が１０ｇ／ｍ２以下であることを特徴とするものである。
【００１７】
（７）本発明の第７の態様は、（１）から（６）のいずれかに記載の吸収性補助パッドであって、前記立体ギャザーの前記トップシートの身体側表面からの高さが、１５ｍｍ以上８０ｍｍ以下であることを特徴とするものである。
【００１８】
（８）本発明の第８の態様は、（１）から（７）のいずれかに記載の吸収性補助パッドであって、前記立体ギャザーは、自由端側及び基端側に少なくとも一本ずつの伸縮弾性部材を有することを特徴とするものである。
【発明の効果】
【００１９】
本発明の吸収性補助パッドは、吸収性補助パッドの幅方向の一方の側端部にのみ、撥水性又は液不透過性を有する二重のシートから構成される所定の高さの立体ギャザーを有する。このため、吸収性補助パッドを、テープ止めタイプの紙おむつ等の吸収性物品の端部に、立体ギャザーが吸収性物品の外周方向となるようにして、配置することにより、軟便を堰き止めつつ吸収することで、軟便の漏れを効果的に防止することができる。また、トップシートは、立体ギャザーを備えていない幅方向の側端部において、吸収体の一部及びバックシートの一部を巻き込むように、折り返された形状を有している。このため、吸収性物品のトップシート上から移行してきた軟便を、吸収性補助パッドの身体側表面だけでなく、立体ギャザーを備えていない側端部からも吸収することができ、より効率的に軟便を吸収することができる。また、本発明の吸収性補助パッドに用いるバックシートは、液不透過性ではなく、トップシートと同様に液透過性の性質を有する。このため、本発明の吸収性補助パッドが軟便を吸収するとともに、吸収した軟便がテープ止めタイプの紙おむつ等の吸収性物品にも移行することで、本発明の吸収性補助パッド及びテープ止めタイプの紙おむつ等の吸収性物品が一体となって軟便を吸収することができ、テープ止めタイプの紙おむつ等の吸収性物品からの軟便の漏れを防止することができる。
【００２０】
また、吸収性補助パッドの吸収体に用いる高吸収性シートには、片側表面が起毛した基体不織布が用いられている。このため、不織布本来の嵩高さに加えて、適度な厚みとやわらかさが付与されることにより、適度なクッション性が発生し、着用時のフィット感を向上させることができる。また、基体不織布の起毛した部分の繊維間に高吸収性ポリマーが分散して固着担持されることにより、高吸収性ポリマー周辺の基体不織布に軟便が適度に拡散又は保持され、吸収性能も向上させることができる。また、吸収体がフラッフパルプを含まないため、薄型にすることができる。このため、吸収性及び着用感を向上させることができる。
【００２１】
また、本発明の吸収性補助パッドは、吸収性物品の漏れやすい部分に対して局所的に用いることができるため、従来の吸収性補助パッドと比較して、サイズを小さくすることができる。このため、原材料コストを抑えることができ、低コストの吸収性補助パッドを提供することができる。以上により、本発明によれば、着用感が良好で、軟便の漏れを適切に防止することができる、低コストの吸収性補助パッドを提供することができる。
【図面の簡単な説明】
【００２２】
【図１】本発明の吸収性補助パッドの平面図である。
【図２】図１のＸ1−Ｘ1断面図である。
【図３】本発明の吸収性補助パッドの使用例を示す図面である。
【発明を実施するための形態】
【００２３】
以下、添付図面を参照して、本発明を実施するための形態について、詳細に説明する。なお、本発明の実施形態の説明の全体を通して、同じ要素には同じ符号を付している。
【００２４】
本明細書の説明において、吸収性補助パッド１の着用時とは、吸収性補助パッド１の装着時及び装着後の少なくとも一方をいう。吸収性補助パッド１の長手方向とは、後述する立体ギャザー５０に平行な方向であり、図中、符号Ｙで示す方向である。また、吸収性補助パッド１の幅方向とは、長手方向に対して横又は直交する方向であり、図中、符号Ｘで示す方向である。さらに、身体側表面とは、吸収体４０等の各部材の表裏両面のうち、着用時に着用者の肌側に配される面であり、衣類側表面とは、吸収体４０等の各部材の表裏両面のうち、着用時に着用者の肌側とは反対側に向けられる面である。
【００２５】
＜吸収性補助パッド＞
図１は本発明の吸収性補助パッド１の平面図、図２は図１におけるＸ１−Ｘ１断面図、図３は本発明の吸収性補助パッド１の使用例を示す図面、である。吸収性補助パッド１は、図１及び図２に示すように、液透過性のトップシート２０と、液透過性のバックシート３０と、トップシート２０及びバックシート３０の間に配置された吸収体４０と、吸収性補助パッド１の幅方向の一方の側端部にのみ、後述する立体ギャザー５０と、を有し、テープ止めタイプの紙おむつ等の吸収性物品１００の端部に配置されるものである。吸収性補助パッド１は、幼児又は成人用を問わず、吸収性物品１００と併用して用いることに適している。図３に示すように、吸収性補助パッド１を、吸収性物品１００の端部に、立体ギャザー５０が吸収性物品１００の外周方向となるようにして、配置することにより、軟便を堰き止めつつ吸収することで、軟便の漏れを効果的に防止することができる。
【００２６】
吸収性補助パッド１の形状は、特に限定されないが、吸収性補助パッド１は、吸収性物品１００の端部に配置し、軟便の漏れを効果的に防止するものであるから、略長方形又は略正方形であることが好ましい。また、吸収性補助パッド１の長手方向及び幅方向の寸法は、５０ｍｍ以上３００ｍｍ以下であることが好ましく、１００ｍｍ以上２５０ｍｍ以下であることがより好ましい。吸収性補助パッド１の長手方向及び幅方向の寸法を上記の範囲にすることにより、吸収性補助パッド１を、吸収性補助パッド１を固定させる吸収性物品１００のタイプや大きさに適合させることができ、必要に応じて低コスト化も図ることができる。
【００２７】
［トップシート］
トップシート２０は、吸収体４０に向けて体液を速やかに通過させるものであり、吸収体４０を挟んで、バックシート３０と対向して配置されている。トップシート２０は、肌と当接するシートとなることから、やわらかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート２０は、単層であっても、複数層積層していてもよく、ドライタッチ性を付与するために多数の透孔が形成されていてもよい。
【００２８】
不織布としては、ポリプロピレンやポリエチレン等の合成繊維やレーヨン等の再生繊維、綿等の天然繊維を用いて、サーマルボンド法のほか、スパンレース法やスパンボンド法等の公知の加工法によって得られたものも用いることができる。トップシート２０の坪量は、加工性及び強度の点から、１５ｇ／ｍ２以上２００ｇ／ｍ２以下であることが好ましい。トップシート２０には、肌への刺激を低減させるために、ローション、酸化防止剤、抗炎症成分、ｐＨ調整剤、抗菌剤、保湿剤等を適用してもよい。トップシート２０の形状は、特に限定されないが、吸収性補助パッド１の形状に合わせて、略長方形又は略正方形であることが好ましい。
【００２９】
本発明において、トップシート２０は、立体ギャザー５０を備えていない幅方向の側端部において、吸収体４０の一部及びバックシート３０の一部を巻き込むように、折り返された形状を有している。トップシート２０が、このような折り返し形状を有することにより、吸収性物品１００のトップシート上から移行してきた軟便を、吸収性補助パッド１の身体側表面だけでなく、立体ギャザー５０を備えていない側端部からも吸収することができ、より効率的に軟便を吸収することができる。
【００３０】
［バックシート］
通常の吸収性物品に用いるバックシート３０は、液不透過性であるのに対して、本発明の吸収性補助パッド１に用いるバックシート３０は、液透過性の性質を有する。このため、バックシート３０についても、上記したトップシート２０と同様の基材を用いることができる。バックシート３０の形状は、特に限定されないが、吸収性補助パッド１の形状に合わせて、略長方形又は略正方形であることが好ましい。
【００３１】
本発明において、バックシート３０は、立体ギャザー５０を備えている幅方向の側端部であって、立体ギャザー５０より幅方向内側において、吸収体４０の一部をトップシート２０の衣類側の位置で巻き込むように、折り返された形状を有している。また、本発明の吸収性補助パッド１に用いるバックシート３０は、液不透過性ではなく、トップシート２０と同様に液透過性の性質を有する。このため、本発明の吸収性補助パッド１が、軟便を吸収するとともに、吸収した軟便がテープ止めタイプの紙おむつ等の吸収性物品１００にも移行することで、本発明の吸収性補助パッド１及びテープ止めタイプの紙おむつ等の吸収性物品１００が一体となって軟便を吸収することができ、テープ止めタイプの紙おむつ等の吸収性物品１００からの軟便の漏れを防止することができる。
【００３２】
（固定手段）
吸収性補助パッド１は、バックシート３０の衣類側表面に、吸収性補助パッド１の装着時に、吸収性物品１００と固定するための固定手段３１が形成されている。固定手段３１の基材としては、特に限定されないが、メカニカルフックテープ、粘着テープ、粘着剤を用いることができる。また、固定手段３１を保護するための剥離シートを有していてもよく、この剥離シートは、吸収性補助パッド１の包装シートと一体となっていてもよい。
【００３３】
［吸収体］
吸収体４０は、図２に示すように、高吸収性シート４１０と、高吸収性シート４１０の全体を包む親水性シート４２０と、を有する。なお、吸収体４０は、フラッフパルプを含まないため、吸収性補助パッド１の厚さが薄く、着用感を向上させることができる。なお、着用感を損なわないように、吸収体４０の厚みは、１．０ｍｍ以上１２．０ｍｍ以下であることが好ましく、４．０ｍｍ以上９．０ｍｍ以下であることがより好ましい。
【００３４】
（高吸収性シート）
吸収体４０に用いる高吸収性シート４１０は、図２に示すように、片側表面が起毛した基体不織布４１１と、基体不織布４１１の起毛した部分の繊維間に固着担持された高吸収性ポリマー４１２と、を有する。基体不織布４１１の起毛した部分の繊維間に高吸収性ポリマー４１２が分散して固着担持されることにより、高吸収性ポリマー４１２周辺の基体不織布４１１に軟便が適度に拡散又は保持されることにより吸収性能が向上し、フラッフパルプを有さなくても十分な吸収性能を確保することができる。
【００３５】
（基体不織布）
図２に示すように、基体不織布４１１の片側表面は起毛した状態である。そのため、不織布本来の嵩高さに加えて、高吸収性シート４１０に適度な厚みとやわらかさが付与されることにより、適度なクッション性が発生し、着用時のフィット感を向上させることができる。また、基体不織布４１１を上記のように起毛させることにより、基体不織布４１１の起毛した部分の繊維間に高吸収性ポリマー４１２を分散させて固着担持させることができる。基体不織布４１１の片側表面を起毛させる方法としては、回転ノコ刃、ニードルパンチが挙げられ、インラインでの生産性やコストの観点から回転ノコ刃により毛羽立たせる方法を用いることが好ましい。なお、基体不織布４１１を起毛させる面は、身体側及び衣類側のいずれでもよいが、より効果的に軟便を吸収できるため、身体側を起毛させることが好ましい。
【００３６】
基体不織布４１１としては、例えば、エアスルー不織布、ポイントボンド不織布、スパンボンド不織布、メルトブロー不織布等の不織布や、スパンボンド不織布／メルトブロー不織布、スパンボンド不織布／メルトブロー不織布／スパンボンド不織布を積層した複合不織布を挙げることができる。これらの不織布のうち、嵩高さの得やすいエアスルー不織布を用いることが好ましい。
【００３７】
基体不織布４１１の厚さは、着用感及び吸収性能のバランスの観点から、０．３ｍｍ以上１１．０ｍｍ以下であることが好ましく、２．０ｍｍ以上９．０ｍｍ以下であることがより好ましく、４．０ｍｍ以上９．０ｍｍ以下であることが更に好ましい。また、基体不織布４１１の坪量は、２０ｇ／ｍ２以上２００ｇ／ｍ２以下であることが好ましく、３０ｇ／ｍ２以上１６０ｇ／ｍ２以下であることがより好ましい。
【００３８】
さらに、基体不織布４１１を構成する繊維の太さは、１．６ｄｔｅｘ以上１４ｄｔｅｘ以下であることが好ましく、１．８ｄｔｅｘ以上９．０ｄｔｅｘ以下であることがより好ましく、２．０ｄｔｅｘ以上６．０ｄｔｅｘ以下であることが更に好ましい。このように上記の範囲で基体不織布４１１を構成する繊維の太さを調整することにより、基体不織布４１１の起毛した部分の繊維間に高吸収性ポリマー４１２を分散させて固着担持しやすくすることができる。
【００３９】
（高吸収性ポリマー）
高吸収性ポリマー４１２としては、軟便を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。また、高吸収性ポリマー４１２の坪量は、各種の吸収性物品に要求される吸収性能を確保するために、２００ｇ／ｍ２以上１２００ｇ／ｍ２以下とすることが好ましい。また、吸収性能、吸収後の肌触り及び着用者の動きやすさをより向上させる観点から、高吸収性ポリマー４１２の坪量は、３００ｇ／ｍ２以上９００ｇ／ｍ２以下とすることがより好ましい。
【００４０】
また、粉体としての流動性が悪い微粉末を避けることにより、吸収に関する基本性能を高め、かつ、高吸収性シート４１０が硬くなることにより発生するごつごつとした触感を低減する観点から、高吸収性ポリマー４１２の中位粒子径は、５０μｍ以上６００μｍ以下であることが好ましく、１００μｍ以上５００μｍ以下であることがより好ましい。
【００４１】
高吸収性ポリマー４１２は、ホットメルト接着剤により、基体不織布４１１の起毛した部分の繊維間に固着担持されていることが好ましく、基体不織布４１１の坪量が比較的低い場合に、高吸収性ポリマー４１２の固着担持を補強するために、ホットメルト接着剤は特に有効に機能する。なお、高吸収性ポリマー４１２の吸収性を阻害せず、かつ、着用時の肌触りを損なわないように、ホットメルト接着剤の含有量は１０ｇ／ｍ２以下であることが好ましい。ホットメルト接着剤としては、融点が１００℃以上１８０℃以下の、スチレン−ブタジエン−スチレン系共重合体やスチレン−イソプレン−スチレン系共重合体など合成ゴム系、又は、エチレン−酢酸ビニル共重合体などのオレフィン系のホットメルト接着剤を用いることができる。ホットメルト接着剤の塗布方法としては、ノズルから溶融状態のホットメルト接着剤を非接触式で塗布するカーテンコート法やスパイラル法、接触式で塗布するスロット法など公知の方法が利用できる。
【００４２】
（親水性シート）
吸収体４０は、図２に示すように、高吸収性シート４１０の全体を包む親水性シート４２０を有する。高吸収性シート４１０の全体を親水性シート４２０で包むことにより、高吸収性ポリマー４１２が吸収体４０の外へ漏れることを防止することができ、着用時の肌触りも向上させることができる。親水性シート４２０としては、ティシュ、吸収紙、スパンボンド不織布やエアレイド不織布等の親水性不織布を挙げることができ、入手性やコストの観点から親水性不織布を用いることが好ましく、親水性シート４２０の坪量は、７ｇ／ｍ２以上４５ｇ／ｍ２以下とすることが好ましく、８ｇ／ｍ２以上１５／ｍ２以下とすることがより好ましい。なお、高吸収性シート４１０の全体を親水性シート４２０で包む際には、高吸収性シート４１０と親水性シート４２０とを、ホットメルト接着剤や熱エンボス加工により固定することが好ましい。
【００４３】
（圧縮エネルギーＷＣ及び圧縮回復性ＲＣ）
吸収体４０の、ハンディ圧縮試験機ＫＥＳ−Ｇ５（カトーテック株式会社製）による、圧縮エネルギーＷＣが２．０ｇｆ・ｃｍ／ｃｍ２以上８．０ｇｆ・ｃｍ／ｃｍ２以下であり、２．４ｇｆ・ｃｍ／ｃｍ２以上６．６ｇｆ・ｃｍ／ｃｍ２以下であることが好ましい。吸収体４０の圧縮エネルギーＷＣを上記の範囲に調整することにより、良好なクッション性を得ることができる。なお、圧縮エネルギーＷＣは、数値が高いほど圧縮されやすいことを示す。
【００４４】
また、吸収体４０の、ハンディ圧縮試験機ＫＥＳ−Ｇ５による、圧縮回復性ＲＣが３５％以上６５％以下であり、４０％以上５８％以下であることが好ましい。吸収体４０の圧縮回復性ＲＣを上記の範囲に調整することにより、適度な弾力性を持ち着用感を向上させることができる。なお、圧縮回復性ＲＣ（％）は、圧縮に対する弾性を示すもので、数値が高いほど圧縮に対する反発性を有することを意味する。
【００４５】
吸収体４０の、ハンディ圧縮試験機ＫＥＳ−Ｇ５による、圧縮エネルギーＷＣ及び圧縮回復性ＲＣの測定方法は、以下のとおりである。まず、試験台に試料（１０ｃｍ×１０ｃｍ）を置き、面積２ｃｍ２の円形平面をもつ銅製の加圧子を試料上方から、速度０．０１ｃｍ／秒、最大圧縮応力２０ｇｆ／ｃｍ２の条件で試料に押し込み圧縮する。測定データをもとに数値処理により圧縮エネルギーＷＣ及び圧縮回復性ＲＣを算出した。
【００４６】
［立体ギャザー］
吸収性補助パッド１は、吸収性補助パッド１の幅方向の一方の側端部にのみ、撥水性又は液不透過性を有する二重のシートから構成される立体ギャザー５０を有する。図３に示すように、吸収性補助パッド１を吸収性物品１００の端部に、立体ギャザー５０が吸収性物品１００の外周方向となるようにして、配置することにより、吸収性補助パッド１の吸収性を維持しつつ、軟便の漏れを効果的に防止することができる。
【００４７】
立体ギャザー５０としては、疎水性繊維にて形成された撥水性又は液不透過性のシート、例えば、スパンボンド不織布、メルトブロー不織布、ポリエチレンフィルムを用いることができ、本発明においては、選択した一種又は二種のシートを二重に接合したものが使用される。また、立体ギャザー５０の坪量は、加工性及び強度の点から、１５ｇ／ｍ２以上１００ｇ／ｍ２以下であることが好ましい。このように形成された二重のシートから構成される立体ギャザー５０は、図２に示すように配置される。具体的には、立体ギャザー５０の外側のシートはバックシート３０に固定され、立体ギャザー５０の内側のシートはトップシート２０に固定され、トップシート２０及びバックシート３０に固定されない部分は自由端となるように、立体ギャザー５０は、吸収性補助パッド１に配置される。
【００４８】
本発明において、立体ギャザー５０のトップシート２０の身体側表面からの高さは、吸収性補助パッド１の幅方向の寸法に対して、２０％以上であり、この範囲を満たすことを前提として、１５ｍｍ以上８０ｍｍ以下であることが好ましい。立体ギャザー５０のトップシート２０からの高さが上記の条件を満たすことで、吸収性補助パッド１からの軟便の漏れを効果的に防止することができる。
【００４９】
（伸縮弾性部材）
また、立体ギャザー５０は、自由端側及び基端側に少なくとも一本ずつの伸縮弾性部材５１を長手方向に沿って有することが好ましい。伸縮弾性部材５１を長手方向に沿って設けることで、立体ギャザー５０が起立性を有し、着用者の体型に合わせて変形可能なものとなり、フィット性が向上することで、軟便の漏れを効果的に防止することができる。伸縮弾性部材５１としては、例えば、ポリウレタン糸、帯状のポリウレタンフィルム、糸状又は帯状の天然ゴム等が使用される。
【００５０】
なお、吸収性補助パッド１の長手方向両端部域においては、立体ギャザー５０は、その自由端がトップシート２０上に固定されていることが好ましく、このため、立体ギャザー５０の内側側面が、トップシート２０の身体側表面と接合していることが好ましい。これにより、立体ギャザー５０は、長手方向両端部部域を除く部位においてのみ起立することとなる。
【００５１】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５２】
１        吸収性補助パッド
２０      トップシート
３０      バックシート
３１      固定手段
４０      吸収体
４１０    高吸収性シート
４１１    基体不織布
４１２    高吸収性ポリマー
４２０    親水性シート
５０      立体ギャザー
５１      伸縮弾性部材
１００    吸収性物品
【図１】
2019111189.tif 000003
【図２】
2019111189.tif 000004
【図３】
2019111189.tif 000005